(57)【特許請求の範囲】
【請求項１】
支持座を含み、前記支持座の上端面には送りベルトが設置され、前記支持座の左右両端にはいずれも連結板が固定的に設置され、前記支持座の上側には固定ブロックが設置され、前記固定ブロックの左右両端がそれぞれ左右両側の前記連結板と固定的に連結され、前記固定ブロックの中には駆動空間が設置され、前記駆動空間の中には本願発明の装置の作動を駆動する駆動機構が設置され、
前記固定ブロックの下側には壁紙を切断できる切断機構が設置され、前記切断機構は下方に開口した二つの昇降空間を含み、前記昇降空間の中には下端が外部空間に位置した昇降ブロックが設置され、前記昇降空間の上端には第一電磁石が固定的に設置され、前記第一電磁石と前記昇降ブロックとの間が昇降ばねによって固定的に連結され、前記支持座の上側にはまた前記昇降空間の下端と固定的に連結された昇降板が設置され、前記昇降板の中には下方に開口したスライド空間が設置され、前記スライド空間の中にはスライド板がスライドできるように連結され、前記スライド空間の中にはまた前記スライド板と前記スライド空間の左端壁とを連結したスライドばねがスライドできるように連結され、前記スライド板の左端にはまた二本の第一弾性紐が固定的に連結され、前記スライド空間の中にはスライドブロックがスライドできるように連結され、前記スライドブロックの下端には下端が外部空間に位置した切断ナイフが固定的に設置され、前記スライド空間の上端壁の中には下方に開口した従動空間が設置され、前記従動空間の上端壁には第二電磁石が固定的に設置され、前記従動空間の中にはまた下端が前記スライドブロックの右側に位置した位置制限板がスライドできるように連結され、前記スライド空間の右端壁には左端が前記位置制限板を貫通し、かつ前記スライドブロックと固定的に連結された伸縮ばねが固定的に設置され、下側の前記第一弾性紐の左端が前記スライド空間の左端壁と前記従動空間の右端壁を貫通し、かつ前記位置制限板と固定的に連結され、前記位置制限板の左端にはまた第二弾性紐が固定的に設置され、前記従動空間の上端壁にはまた前記位置制限板と引き合うことができる第二電磁石が固定的に設置され、
前記駆動空間の中にはまた前記駆動機構の動力を前記切断機構に送ることができる伝動機構が設置され、前記送りベルトの上側にはまた前記壁紙を切断するとき壁紙をきつく挟むことができる挟み機構が設置され、壁紙を切断するとき、前記駆動機構が作動して前記挟み機構を制御して壁紙をきつく挟ませた後、前記伝動機構の伝動により前記切断機構を制御して壁紙を切断させ、これにより安定な切断を保証し、壁紙の切断品質を高めることを特徴とする自動化壁紙高効率切断装置。
【請求項２】
前記駆動機構は前記駆動空間の上端壁に固定された駆動モーターを含み、前記駆動モーターの下端には駆動軸が伝動できるように連結され、前記駆動軸には駆動歯車がキー連結され、前記駆動歯車の中には下方に開口した第一環状溝が形成され、前記第一環状溝の中には二つの滑りブロックがスライドできるように連結され、前記駆動空間の中にはまた前記駆動軸の下端に貫通された駆動ブロックと従動板が設置され、前記駆動ブロックの中には位置制限空間が設置され、前記位置制限空間の下端壁の中には下方に開口した押し出し空間が設置され、前記位置制限空間の中には右端が前記駆動軸とねじ山により連結されたねじ山ブロックが設置され、前記位置制限空間の中にはまた前記ねじ山ブロックと前記位置制限空間の左端壁とを連結した位置制限ばねが設置され、前記押し出し空間の中には押し出しブロックと押し出しばねが設置され、前記押し出しばねが前記押し出しブロックと前記押し出し空間の上端壁とを連結し、前記押し出しブロックの左端には左端が前記押し出し空間の左端壁と前記位置制限空間の左端壁とを貫通して、かつ前記ねじ山ブロックと固定的に連結された細紐が固定的に設置され、前記押し出しブロックの上端には上端が前記第一環状溝の下端壁を貫通し、かつ前記滑りブロックと固定的に連結された二本の押しロッドが固定的に設置され、前記従動板の下端には前記従動板を支持する二つの従動ばねが固定的に設置され、前記従動板の上端面にはまた押し出しブロックを押圧できる従動ブロックが固定的に設置されていることを特徴とする請求項１に記載の自動化壁紙高効率切断装置。
【請求項３】
前記伝動機構は前記駆動空間の上下端壁に回転できるように連結された伝動軸を含み、前記伝動軸の上端には上端が前記駆動空間の上端壁と固定的に連結されたねじりばねが固定的に設置され、前記駆動空間の左右端壁の間には前記伝動軸の下端によって貫通された固定板が固定的に連結され、前記伝動軸には伝動歯車がキー連結され、前記伝動歯車の中には下方に開口した第二環状溝が形成され、前記駆動空間の中には上端が前記固定板を貫通した二本のばねロッドが設置され、前記ばねロッドの上端には押しブロックが固定的に設置され、前記押しブロックの下端面には下端が前記固定板と固定的に連結された二つの圧縮ばねが固定的に設置され、上側の前記第一弾性紐の左端が前記スライド空間の左端壁と前記押しブロックの左端壁とを貫通して、かつ左側の前記ばねロッドの下端と固定的に連結され、前記第二弾性紐の左端が前記従動空間の左端壁と前記駆動空間の右端壁とを貫通して、かつ右側の前記ばねロッドの下端と固定的に連結され、前記伝動軸の下端にはまたリールが固定的に連結され、前記リールには左端が前記駆動空間の左端壁と前記スライド空間の左端壁とを貫通して、かつ前記スライドブロックと固定的に連結されたロープが固定的に設置され、前記第二環状溝の中にはまた位置制限ブロックがスライドできるように連結され、前記位置制限ブロックの下端には下端が前記駆動空間の下端壁を二回貫通して、かつ前記従動板と固定的に連結された鎖が固定的に設置されていることを特徴とする請求項２に記載の自動化壁紙高効率切断装置。
【請求項４】
前記挟み機構は前記連結板において前記支持座に近接している側の端面に固定された二つの支持ブロックを含み、前記支持座の上側には左右両端がそれぞれ左右の二つの前記支持ブロックと固定的に連結された支持板が設置され、前記連結板の中には外部空間と連通した上げ空間が設置され、前記上げ空間の上端壁には二つの戻しばねが固定的に設置され、前記戻しばねの下端には上げロッドが固定的に設置され、前記支持座の上側には左右両端がそれぞれ左右両側の前記上げ空間の中に位置しており、かつ前記上げロッドの下端と固定的に連結された挟み板が設置され、前記駆動空間の中には前記駆動軸と前記押しロッドに貫通された上げ板が設置され、前記上げ板の左右両端がそれぞれ左右両側の前記上げ空間を貫通して、かつ前記上げ空間の中に位置しており、前記上げ空間の中に位置した前記上げ板の一端が前記上げロッドと固定的に連結され、前記押しロッドには下端が前記上げ板の上端面と接触した押下ブロックが固定的に設置され、前後二本の前記上げロッドの間が連結ロッドにより固定的に連結されていることを特徴とする請求項２に記載の自動化壁紙高効率切断装置。
【請求項５】
前記第二弾性紐と前記第一弾性紐の弾力が前記圧縮ばねの弾力より遥かに大きく、前記第一電磁石と前記昇降ブロックとの間の反発力が前記第一弾性紐の弾力より遥かに大きく、前記第一電磁石と前記昇降ブロックとの間の反発力が前記第二弾性紐の弾力より遥かに大きく、前記押し出しばねの弾力が前記位置制限ばねの弾力より遥かに大きく、前記第二電磁石と前記位置制限板の間の磁力が前記スライドばねの弾力より遥かに大きく、初期状態では、前記圧縮ばねが圧縮され、前記圧縮ばねの弾力が前記伝動歯車の重力と前記従動ばねの弾力との和より遥かに大きいことを特徴とする請求項３に記載の自動化壁紙高効率切断装置。
【請求項６】
前記押し出しばねの弾力が前記従動ばねの弾力より遥かに小さく、初期状態では、前記戻しばねが圧縮状態にあることを特徴とする請求項４に記載の自動化壁紙高効率切断装置。
【発明の詳細な説明】
【技術分野】
【０００１】
本発明は切断分野を取り上げて、具体的には自動化壁紙高効率切断装置である。
【背景技術】
【０００２】
壁紙を便利に使用するために、大きな壁紙を切断して分割する必要がある。
現在では、壁紙を切断するとき、一般的に直接に切断するため、壁紙の移動による切断ズレを引き起こしやすく、切断線が直線ではなくなり、切断品質が低下し、壁紙の使用に影響を及ぼす。
【先行技術文献】
【特許文献】
【０００３】
【特許文献１】中国特許出願公開第１０８４５７０７１号明細書
【発明の概要】
【発明が解決しようとする課題】
【０００４】
本願発明が解決しようとする技術問題は自動化壁紙高効率切断装置を提供し、切断品質が低下することを避け、切断品質を向上させることである。
【課題を解決するための手段】
【０００５】
本発明は以下の技術プランを通じて実現する。
【０００６】
自動化壁紙高効率切断装置は、支持座を含み、前記支持座の上端面には送りベルトが設置され、前記支持座の左右両端にはいずれも連結板が固定的に設置され、前記支持座の上側には固定ブロックが設置され、前記固定ブロックの左右両端がそれぞれ左右両側の前記連結板と固定的に連結され、前記固定ブロックの中には駆動空間が設置され、前記駆動空間の中には本願発明の装置の作動を駆動する駆動機構が設置され、
前記固定ブロックの下側には壁紙を切断できる切断機構が設置され、前記切断機構は下方に開口した二つの昇降空間を含み、前記昇降空間の中には下端が外部空間に位置した昇降ブロックが設置され、前記昇降空間の上端には第一電磁石が固定的に設置され、前記第一電磁石と前記昇降ブロックとの間が昇降ばねによって固定的に連結され、前記支持座の上側にはまた前記昇降空間の下端と固定的に連結された昇降板が設置され、前記昇降板の中には下方に開口したスライド空間が設置され、前記スライド空間の中にはスライド板がスライドできるように連結され、前記スライド空間の中にはまた前記スライド板と前記スライド空間の左端壁とを連結したスライドばねがスライドできるように連結され、前記スライド板の左端にはまた二本の第一弾性紐が固定的に連結され、前記スライド空間の中にはスライドブロックがスライドできるように連結され、前記スライドブロックの下端には下端が外部空間に位置した切断ナイフが固定的に設置され、前記スライド空間の上端壁の中には下方に開口した従動空間が設置され、前記従動空間の上端壁には第二電磁石が固定的に設置され、前記従動空間の中にはまた下端が前記スライドブロックの右側に位置した位置制限板がスライドできるように連結され、前記スライド空間の右端壁には左端が前記位置制限板を貫通し、かつ前記スライドブロックと固定的に連結された伸縮ばねが固定的に設置され、下側の前記第一弾性紐の左端が前記スライド空間の左端壁と前記従動空間の右端壁を貫通し、かつ前記位置制限板と固定的に連結され、前記位置制限板の左端にはまた第二弾性紐が固定的に設置され、前記従動空間の上端壁にはまた前記位置制限板と引き合うことができる第二電磁石が固定的に設置され、
前記駆動空間の中にはまた前記駆動機構の動力を前記切断機構に送ることができる伝動機構が設置され、前記送りベルトの上側にはまた前記壁紙を切断するとき壁紙をきつく挟むことができる挟み機構が設置され、壁紙を切断するとき、前記駆動機構が作動して前記挟み機構を制御して壁紙をきつく挟ませた後、前記伝動機構の伝動により前記切断機構を制御して壁紙を切断させ、これにより安定な切断を保証し、壁紙の切断品質を高める。
【０００７】
更に、前記駆動機構は前記駆動空間の上端壁に固定された駆動モーターを含み、前記駆動モーターの下端には駆動軸が伝動できるように連結され、前記駆動軸には駆動歯車がキー連結され、前記駆動歯車の中には下方に開口した第一環状溝が形成され、前記第一環状溝の中には二つの滑りブロックがスライドできるように連結され、前記駆動空間の中にはまた前記駆動軸の下端に貫通された駆動ブロックと従動板が設置され、前記駆動ブロックの中には位置制限空間が設置され、前記位置制限空間の下端壁の中には下方に開口した押し出し空間が設置され、前記位置制限空間の中には右端が前記駆動軸とねじ山により連結されたねじ山ブロックが設置され、前記位置制限空間の中にはまた前記ねじ山ブロックと前記位置制限空間の左端壁とを連結した位置制限ばねが設置され、前記押し出し空間の中には押し出しブロックと押し出しばねが設置され、前記押し出しばねが前記押し出しブロックと前記押し出し空間の上端壁とを連結し、前記押し出しブロックの左端には左端が前記押し出し空間の左端壁と前記位置制限空間の左端壁とを貫通して、かつ前記ねじ山ブロックと固定的に連結された細紐が固定的に設置され、前記押し出しブロックの上端には上端が前記第一環状溝の下端壁を貫通し、かつ前記滑りブロックと固定的に連結された二本の押しロッドが固定的に設置され、前記従動板の下端には前記従動板を支持する二つの従動ばねが固定的に設置され、前記従動板の上端面にはまた押し出しブロックを押圧できる従動ブロックが固定的に設置されている。
【０００８】
更に、前記伝動機構は前記駆動空間の上下端壁に回転できるように連結された伝動軸を含み、前記伝動軸の上端には上端が前記駆動空間の上端壁と固定的に連結されたねじりばねが固定的に設置され、前記駆動空間の左右端壁の間には前記伝動軸の下端によって貫通された固定板が固定的に連結され、前記伝動軸には伝動歯車がキー連結され、前記伝動歯車の中には下方に開口した第二環状溝が形成され、前記駆動空間の中には上端が前記固定板を貫通した二本のばねロッドが設置され、前記ばねロッドの上端には押しブロックが固定的に設置され、前記押しブロックの下端面には下端が前記固定板と固定的に連結された二つの圧縮ばねが固定的に設置され、上側の前記第一弾性紐の左端が前記スライド空間の左端壁と前記押しブロックの左端壁とを貫通して、かつ左側の前記ばねロッドの下端と固定的に連結され、前記第二弾性紐の左端が前記従動空間の左端壁と前記駆動空間の右端壁とを貫通して、かつ右側の前記ばねロッドの下端と固定的に連結され、前記伝動軸の下端にはまたリールが固定的に連結され、前記リールには左端が前記駆動空間の左端壁と前記スライド空間の左端壁とを貫通して、かつ前記スライドブロックと固定的に連結されたロープが固定的に設置され、前記第二環状溝の中にはまた位置制限ブロックがスライドできるように連結され、前記位置制限ブロックの下端には下端が前記駆動空間の下端壁を二回貫通して、かつ前記従動板と固定的に連結された鎖が固定的に設置されている。
【０００９】
更に、前記挟み機構は前記連結板において前記支持座に近接している側の端面に固定された二つの支持ブロックを含み、前記支持座の上側には左右両端がそれぞれ左右の二つの前記支持ブロックと固定的に連結された支持板が設置され、前記連結板の中には外部空間と連通した上げ空間が設置され、前記上げ空間の上端壁には二つの戻しばねが固定的に設置され、前記戻しばねの下端には上げロッドが固定的に設置され、前記支持座の上側には左右両端がそれぞれ左右両側の前記上げ空間の中に位置しており、かつ前記上げロッドの下端と固定的に連結された挟み板が設置され、前記駆動空間の中には前記駆動軸と前記押しロッドに貫通された上げ板が設置され、前記上げ板の左右両端がそれぞれ左右両側の前記上げ空間を貫通して、かつ前記上げ空間の中に位置しており、前記上げ空間の中に位置した前記上げ板の一端が前記上げロッドと固定的に連結され、前記押しロッドには下端が前記上げ板の上端面と接触した押下ブロックが固定的に設置され、前後二本の前記上げロッドの間が連結ロッドにより固定的に連結されている。
【００１０】
更に、前記第二弾性紐と前記第一弾性紐の弾力が前記圧縮ばねの弾力より遥かに大きく、前記第一電磁石と前記昇降ブロックとの間の反発力が前記第一弾性紐の弾力より遥かに大きく、前記第一電磁石と前記昇降ブロックとの間の反発力が前記第二弾性紐の弾力より遥かに大きく、前記押し出しばねの弾力が前記位置制限ばねの弾力より遥かに大きく、前記第二電磁石と前記位置制限板の間の磁力が前記スライドばねの弾力より遥かに大きく、初期状態では、前記圧縮ばねが圧縮され、前記圧縮ばねの弾力が前記伝動歯車の重力と前記従動ばねの弾力との和より遥かに大きい。
【００１１】
更に、前記押し出しばねの弾力が前記従動ばねの弾力より遥かに小さく、初期状態では、前記戻しばねが圧縮状態にある。
【発明の効果】
【００１２】
本願発明の有益な効果は：本願発明の装置は構造が簡単であり、操作が便利であり、壁紙を切断するとき、前後両側をきつく挟み、これにより切断する時の壁紙の移動による影響を防止し、切断の品質を高め、機械の伝動により、伝動効率を向上させる。
【図面の簡単な説明】
【００１３】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の実施例の全断面の構造概略図
【図２】図２は本願発明の実施例の駆動機構の全断面の正面拡大概略図
【図３】図３は本願発明の実施例の図１のＡ−Ａの概略図
【図４】図４は本願発明の実施例の図１のＢの拡大概略図
【図５】図５は本願発明の実施例の図２のＣ−Ｃの概略図
【図６】図６は本願発明の実施例の図２のＤの拡大概略図
【図７】図７は本願発明の実施例の支持板の横断面の概略図
【発明を実施するための形態】
【００１５】
図１〜７を参照し、自動化壁紙高効率切断装置は、支持座２１を含み、前記支持座２１の上端面には送りベルト２０が設置され、前記支持座２１の左右両端にはいずれも連結板１０が固定的に設置され、前記支持座２１の上側には固定ブロック１１が設置され、前記固定ブロック１１の左右両端がそれぞれ左右両側の前記連結板１０と固定的に連結され、前記固定ブロック１１の中には駆動空間３６が設置され、前記駆動空間３６の中には本願発明の装置の作動を駆動する駆動機構７０が設置され、前記固定ブロック１１の下側には壁紙を切断できる切断機構６９が設置され、前記切断機構６９は下方に開口した二つの昇降空間１３を含み、前記昇降空間１３の中には下端が外部空間に位置した昇降ブロック１５が設置され、前記昇降空間１３の上端には第一電磁石１２が固定的に設置され、前記第一電磁石１２と前記昇降ブロック１５との間が昇降ばね１４によって固定的に連結され、前記支持座２１の上側にはまた前記昇降空間１３の下端と固定的に連結された昇降板１６が設置され、前記昇降板１６の中には下方に開口したスライド空間２５が設置され、前記スライド空間２５の中にはスライド板２４がスライドできるように連結され、前記スライド空間２５の中にはまた前記スライド板２４と前記スライド空間２５の左端壁とを連結したスライドばね２２がスライドできるように連結され、前記スライド板２４の左端にはまた二本の第一弾性紐２３が固定的に連結され、前記スライド空間２５の中にはスライドブロック２８がスライドできるように連結され、前記スライドブロック２８の下端には下端が外部空間に位置した切断ナイフ２７が固定的に設置され、前記スライド空間２５の上端壁の中には下方に開口した従動空間５８が設置され、前記従動空間５８の上端壁には第二電磁石５７が固定的に設置され、前記従動空間５８の中にはまた下端が前記スライドブロック２８の右側に位置した位置制限板７１がスライドできるように連結され、前記スライド空間２５の右端壁には左端が前記位置制限板７１を貫通し、かつ前記スライドブロック２８と固定的に連結された伸縮ばね２９が固定的に設置され、下側の前記第一弾性紐２３の左端が前記スライド空間２５の左端壁と前記従動空間５８の右端壁を貫通し、かつ前記位置制限板７１と固定的に連結され、前記位置制限板７１の左端にはまた第二弾性紐５６が固定的に設置され、前記従動空間５８の上端壁にはまた前記位置制限板７１と引き合うことができる第二電磁石５７が固定的に設置され、前記駆動空間３６の中にはまた前記駆動機構７０の動力を前記切断機構６９に送ることができる伝動機構６７が設置され、前記送りベルト２０の上側にはまた前記壁紙を切断するとき壁紙をきつく挟むことができる挟み機構６８が設置され、壁紙を切断するとき、前記駆動機構７０が作動して前記挟み機構６８を制御して壁紙をきつく挟ませた後、前記伝動機構６７の伝動により前記切断機構６９を制御して壁紙を切断させ、これにより安定な切断を保証し、壁紙の切断品質を高める。
【００１６】
有益的には、前記駆動機構７０は前記駆動空間３６の上端壁に固定された駆動モーター４７を含み、前記駆動モーター４７の下端には駆動軸４６が伝動できるように連結され、前記駆動軸４６には駆動歯車４４がキー連結され、前記駆動歯車４４の中には下方に開口した第一環状溝４８が形成され、前記第一環状溝４８の中には二つの滑りブロック４５がスライドできるように連結され、前記駆動空間３６の中にはまた前記駆動軸４６の下端に貫通された駆動ブロック５１と従動板５２が設置され、前記駆動ブロック５１の中には位置制限空間６５が設置され、前記位置制限空間６５の下端壁の中には下方に開口した押し出し空間７４が設置され、前記位置制限空間６５の中には右端が前記駆動軸４６とねじ山により連結されたねじ山ブロック６３が設置され、前記位置制限空間６５の中にはまた前記ねじ山ブロック６３と前記位置制限空間６５の左端壁とを連結した位置制限ばね６４が設置され、前記押し出し空間７４の中には押し出しブロック６１と押し出しばね６２が設置され、前記押し出しばね６２が前記押し出しブロック６１と前記押し出し空間７４の上端壁とを連結し、前記押し出しブロック６１の左端には左端が前記押し出し空間７４の左端壁と前記位置制限空間６５の左端壁とを貫通して、かつ前記ねじ山ブロック６３と固定的に連結された細紐６６が固定的に設置され、前記押し出しブロック６１の上端には上端が前記第一環状溝４８の下端壁を貫通し、かつ前記滑りブロック４５と固定的に連結された二本の押しロッド４９が固定的に設置され、前記従動板５２の下端には前記従動板５２を支持する二つの従動ばね５４が固定的に設置され、前記従動板５２の上端面にはまた押し出しブロック６１を押圧できる従動ブロック５５が固定的に設置されている。
【００１７】
有益的には、前記伝動機構６７は前記駆動空間３６の上下端壁に回転できるように連結された伝動軸３４を含み、前記伝動軸３４の上端には上端が前記駆動空間３６の上端壁と固定的に連結されたねじりばね３３が固定的に設置され、前記駆動空間３６の左右端壁の間には前記伝動軸３４の下端によって貫通された固定板３８が固定的に連結され、前記伝動軸３４には伝動歯車３２がキー連結され、前記伝動歯車３２の中には下方に開口した第二環状溝３１が形成され、前記駆動空間３６の中には上端が前記固定板３８を貫通した二本のばねロッド３０が設置され、前記ばねロッド３０の上端には押しブロック３５が固定的に設置され、前記押しブロック３５の下端面には下端が前記固定板３８と固定的に連結された二つの圧縮ばね３７が固定的に設置され、上側の前記第一弾性紐２３の左端が前記スライド空間２５の左端壁と前記押しブロック３５の左端壁とを貫通して、かつ左側の前記ばねロッド３０の下端と固定的に連結され、前記第二弾性紐５６の左端が前記従動空間５８の左端壁と前記駆動空間３６の右端壁とを貫通して、かつ右側の前記ばねロッド３０の下端と固定的に連結され、前記伝動軸３４の下端にはまたリール３９が固定的に連結され、前記リール３９には左端が前記駆動空間３６の左端壁と前記スライド空間２５の左端壁とを貫通して、かつ前記スライドブロック２８と固定的に連結されたロープ２６が固定的に設置され、前記第二環状溝３１の中にはまた位置制限ブロック５９がスライドできるように連結され、前記位置制限ブロック５９の下端には下端が前記駆動空間３６の下端壁を二回貫通して、かつ前記従動板５２と固定的に連結された鎖５３が固定的に設置されている。
【００１８】
有益的には、前記挟み機構６８は前記連結板１０において前記支持座２１に近接している側の端面に固定された二つの支持ブロック１９を含み、前記支持座２１の上側には左右両端がそれぞれ左右の二つの前記支持ブロック１９と固定的に連結された支持板１８が設置され、前記連結板１０の中には外部空間と連通した上げ空間４３が設置され、前記上げ空間４３の上端壁には二つの戻しばね４０が固定的に設置され、前記戻しばね４０の下端には上げロッド４２が固定的に設置され、前記支持座２１の上側には左右両端がそれぞれ左右両側の前記上げ空間４３の中に位置しており、かつ前記上げロッド４２の下端と固定的に連結された挟み板１７が設置され、前記駆動空間３６の中には前記駆動軸４６と前記押しロッド４９に貫通された上げ板４１が設置され、前記上げ板４１の左右両端がそれぞれ左右両側の前記上げ空間４３を貫通して、かつ前記上げ空間４３の中に位置しており、前記上げ空間４３の中に位置した前記上げ板４１の一端が前記上げロッド４２と固定的に連結され、前記押しロッド４９には下端が前記上げ板４１の上端面と接触した押下ブロック５０が固定的に設置され、前後二本の前記上げロッド４２の間が連結ロッド６０により固定的に連結されている。
【００１９】
有益的には、前記第二弾性紐５６と前記第一弾性紐２３の弾力が前記圧縮ばね３７の弾力より遥かに大きく、前記第一電磁石１２と前記昇降ブロック１５との間の反発力が前記第一弾性紐２３の弾力より遥かに大きく、前記第一電磁石１２と前記昇降ブロック１５との間の反発力が前記第二弾性紐５６の弾力より遥かに大きく、前記押し出しばね６２の弾力が前記位置制限ばね６４の弾力より遥かに大きく、前記第二電磁石５７と前記位置制限板７１の間の磁力が前記スライドばね２２の弾力より遥かに大きく、初期状態では、前記圧縮ばね３７が圧縮され、前記圧縮ばね３７の弾力が前記伝動歯車３２の重力と前記従動ばね５４の弾力との和より遥かに大きい。
【００２０】
有益的には、前記押し出しばね６２の弾力が前記従動ばね５４の弾力より遥かに小さく、初期状態では、前記戻しばね４０が圧縮状態にある。
【００２１】
装置全体の機械動作の流れ：
１．  送りベルト２０が作動し切断待ちの壁紙を切断ナイフ２７の下側まで送り、壁紙が切断されたところの前後両側がそれぞれ前後二つの支持板１８の上側に位置しており、このとき第一電磁石１２が作動して昇降ブロック１５と反発し、これにより昇降ブロック１５を下がらせ、これにより昇降板１６を下がらせ、これにより切断ナイフ２７の下端を壁紙と接触させ、第一電磁石１２が作動するとき、駆動モーター４７が作動し駆動軸４６を回転させ、これによりねじ山ブロック６３と駆動ブロック５１を下がらせ、これにより押しロッド４９を下がらせ、これにより押下ブロック５０と滑りブロック４５を下がらせ、これにより上げ板４１と駆動歯車４４を下がらせ、上げ板４１の下がりが上げロッド４２を下がらせ、これにより挟み板１７を下がらせ、挟み板１７が下がって壁紙と接触するとき下がり続け、これにより挟み板１７と支持板１８に壁紙をきつく挟ませ、戻しばね４０が緩まる。
２．  上げ板４１が下がり、挟み板１７と支持板１８が壁紙をきつく挟むとき、駆動ブロック５１と駆動歯車４４も一番下側に下り、駆動ブロック５１が下がる過程では、押し出しブロック６１と従動ブロック５５とが接触するとき、押し出しブロック６１が上方へ移動され、これにより細紐６６が引っ張られ、押し出しばね６２が圧縮され、このとき細紐６６の伝動によりねじ山ブロック６３を左方へ移動させ、これによりねじ山ブロック６３と駆動軸４６とが離れ、位置制限ばね６４が圧縮され、ねじ山ブロック６３と駆動軸４６との離れにより、駆動ブロック５１が下がらなくなり、これにより上げ板４１と駆動歯車４４が下がらなくなり、ねじ山ブロック６３と駆動軸４６とが離れるとき、駆動歯車４４が下がって伝動歯車３２の後端と噛み合い、この時駆動軸４６の回転が駆動歯車４４を回転させ、これにより伝動歯車３２と伝動軸３４を回転させ、これによりリール３９を回転させ、ねじりばね３３がねじり、リール３９の回転がロープ２６をきつく巻きつけ、これによりスライドブロック２８を左方へ移動させる。
３．スライドブロック２８が左方へ移動して切断ナイフ２７を左方へ移動させ、これにより壁紙を切断し始め、伸縮ばね２９が引っ張られ、スライドブロック２８がスライド板２４と接触するまで移動すると、スライドブロック２８が左方へ移動し続け、これによりスライド板２４を左方へ移動させ、スライドばね２２が圧縮され、これにより二本の第一弾性紐２３を緩め、上側の第一弾性紐２３を緩め、これにより左側の二つの圧縮ばね３７を復帰させ、これにより左側の押しブロック３５を上方に移動させ、これにより伝動歯車３２を上方に移動させ、これにより伝動歯車３２を駆動歯車４４と離れさせ、このとき駆動機構７０と伝動機構６７との間の伝動が切断され、切断を完成し、駆動モーター４７が作動停止し、下側の第一弾性紐２３が緩まり、第二電磁石５７が作動して位置制限板７１と引き合うことの作用により、、位置制限板７１が左方へ移動し、これにより第二弾性紐５６を緩め、これにより右側の二つの圧縮ばね３７を緩め、これにより右側の押しブロック３５を上方へ移動させ、これにより右側の押しブロック３５と伝動歯車３２とを接触させる。
４．伝動歯車３２の上昇により、位置制限ブロック５９が上昇し、これにより鎖５３を引っ張り、これにより従動板５２を下がらせ、これにより従動ブロック５５を下がらせ、この時押し出しばね６２が復帰して押し出しブロック６１を下がらせ、これにより細紐６６を緩め、これによりねじ山ブロック６３を再び駆動軸４６とねじ山により連結させ、伝動歯車３２が上昇して駆動歯車４４と離れるため、ねじりばね３３が復帰し、これにより伝動軸３４が逆回転し、これによりリール３９が逆回転し、これによりロープ２６が緩み、伸縮ばね２９が復帰し、これによりスライドブロック２８を右方へ移動させ、これにより切断ナイフ２７を右方へ移動し復帰させ、スライドブロック２８が右方へ移動して復帰して位置制限板７１と接触するとき、スライドブロック２８が復帰し位置制限板７１を右方へ移動させ、これにより位置制限板７１を第二電磁石５７と離れさせ、これにより第二弾性紐５６を引っ張り、下側の第一弾性紐２３を緩め、このときスライドばね２２が復帰してスライド板２４を右方へ移動して復帰させ、この時二つの第一弾性紐２３が再び引っ張られ、これによりばねロッド３０が下がり、これにより圧縮ばね３７が再び圧縮され、これにより押しブロック３５が下がり、これにより伝動歯車３２が下がって復帰し、これにより鎖５３が緩まって従動板５２を復帰させ、これにより従動ブロック５５が元の位置に戻り、伸縮ばね２９が復帰するとき、スライドブロック２８と切断ナイフ２７が移動し元の位置に戻る。
５．伝動機構６７と切断機構６９とが復帰するとき、駆動モーター４７が反転し、これにより駆動軸４６を反転させ、これによりねじ山ブロック６３を上昇させ、これにより上げ板４１と、押しロッド４９及び駆動歯車４４を上昇させ、上げ板４１が上昇するとき上げロッド４２が上昇し、これにより挟み板１７を上昇させ、これにより壁紙を緩め、戻しばね４０が改めて圧縮され、駆動歯車４４が上方へ移動して復帰する過程において、伝動歯車３２が下がって駆動歯車４４と噛み合い、駆動軸４６が反転して駆動歯車４４を反転させるため、駆動歯車４４の動力が伝動歯車３２と伝動軸３４の伝動により、リール３９が依然として回転してロープ２６を緩め、駆動歯車４４が上方へ移動して復帰するとき、駆動モーター４７が作動を停止し、第一電磁石１２が作動しなく、昇降ばね１４が復帰し、これにより昇降ブロック１５を上昇させ、これにより昇降板１６を上昇させ、この時装置の復帰を完成し、送りベルト２０が作動して切断された壁紙を送る。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】      （修正有）【課題】切断時に壁紙の移動による切断ズレを引き起こさない、切断品質を向上させる自動化壁紙高効率切断装置を提供する。【解決手段】駆動空間３６の中には駆動機構の動力を切断機構６９に送ることができる伝動機構６７が設置され、送りベルト２０の上側には壁紙を切断するとき壁紙をきつく挟むことができる挟み機構６８が設置され、壁紙を切断するとき、前記駆動機構が作動して挟み機構６８を制御して壁紙をきつく挟ませた後、伝動機構６７の伝動により切断機構６９を制御して壁紙を切断させ、これにより安定な切断を保証し、壁紙の切断品質を高める。【選択図】図１【図１】
0006753004.tif 000002
【図２】
0006753004.tif 000003
【図３】
0006753004.tif 000004
【図４】
0006753004.tif 000005
【図５】
0006753004.tif 000006
【図６】
0006753004.tif 000007
【図７】
0006753004.tif 000008